(57)【要約】  ワイヤレス通信のための方法、システム、およびデバイスが説明される。基地局などの送信ノードは、ある数の短縮制御チャネル要素(sCCE)を使用してダウンリンク制御情報(DCI)をユーザ機器(UE)に送信し得る。各sCCEは、ある数の短縮リソース要素グループ(sREG)からなり得る。基地局は、各sCCEがsREGの一意なセットにマッピングされる(たとえば、2つ以上のsCCEに割り振られる単一のsREGがない)ことを保証するために、マッピング関数を使用して各sCCEを1つまたは複数のsREGにマッピングし得る。マッピング関数の使用はさらに、sCCEにマッピングされる各sREGが単一のシンボル内にあることを保証し得る。送信ノードはまた、シンボル当たりのRBの数がsCCE当たりのsREGの数の整数倍であるように、sREGに対応するリソースブロック(RB)のセットを構成し得る。
2021501509.tif 000002
【特許請求の範囲】
【請求項１】
ワイヤレス通信のための方法であって、
1つまたは複数の直交周波数分割多重化(OFDM)シンボルを用いて構成されるダウンリンク制御チャネルリソースブロック(RB)セット上での送信のための制御情報を特定するステップと、
前記制御情報を複数の制御チャネル要素(CCE)へと符号化するステップと、
前記ダウンリンク制御チャネルRBセットがその上で構成されるOFDMシンボルの数とは無関係に、前記ダウンリンク制御チャネルRBセットの中のリソース要素グループ(REG)の対応する一意なセットが一意であるように、マッピング関数を使用してREGの前記セットに前記複数のCCEの各CCEをマッピングするステップであって、前記1つまたは複数のOFDMシンボルの各々が複数のREGを用いて構成される、ステップと、
前記ダウンリンク制御チャネルRBセットを使用して前記符号化された制御情報を送信するステップとを備える、方法。
【請求項２】
前記複数のCCEの各CCEをマッピングするステップが、
REGの各対応するセットが前記1つまたは複数のOFDMシンボルのうちの単一のOFDMシンボル内に完全に含まれるように、前記複数のCCEの各CCEをマッピングするステップを備える、請求項1に記載の方法。
【請求項３】
各OFDMシンボルの中の前記複数のREGが前記複数のCCEの数の倍数であるように、前記1つまたは複数のOFDMシンボルにわたって前記ダウンリンク制御チャネルRBセットを割り振るステップをさらに備える、請求項1に記載の方法。
【請求項４】
前記マッピング関数が、CCEインデックスを前記1つまたは複数のOFDMシンボルの各OFDMシンボルに含まれるべき前記複数のCCEの数で割ったものの床関数を備える、請求項1に記載の方法。
【請求項５】
前記マッピング関数が、
【数１】
2021501509.tif 000049
であり、ここで
【数２】
2021501509.tif 000050
であり、各OFDMシンボルに含まれるべき前記複数のCCEの前記数を示し、
【数３】
2021501509.tif 000051
が各OFDMシンボルに含まれるべき前記複数のREGの数を示し、
【数４】
2021501509.tif 000052
が各CCEに含まれるべきREGの数を示し、
n∈{0,1,...,k・CCEOS-1}であり、kが前記ダウンリンク制御チャネルRBセットがその上で構成されるOFDMシンボルの数であり、
i∈{0,1,...,NsCCE,m-1}であり、NsCCE,mが前記ダウンリンク制御チャネルRBセットの中の前記複数のCCEの数を示す、請求項4に記載の方法。
【請求項６】
前記ダウンリンク制御チャネルRBセットを使用して前記符号化された制御情報を送信するステップが、
セル固有基準信号(CRS)ベースの物理ダウンリンク制御チャネル(PDCCH)上で前記符号化された制御情報を送信するステップを備える、請求項1に記載の方法。
【請求項７】
ワイヤレス通信のための方法であって、
1つまたは複数の直交周波数分割多重化(OFDM)シンボルの中の複数の制御チャネル要素(CCE)を含むダウンリンク制御チャネルリソースブロック(RB)セットを受信するステップと、
マッピング関数に少なくとも一部基づいて前記ダウンリンク制御チャネルRBセットから前記複数のCCEをデマッピングするステップであって、各CCEが、前記ダウンリンク制御チャネルRBセットがその上で受信されるOFDMシンボルの数とは独立に、前記マッピング関数によって前記ダウンリンク制御チャネルRBセットの中のリソース要素グループ(REG)の対応する一意なセットに割り当てられ、前記1つまたは複数のOFDMシンボルの各々が複数のREGを用いて構成される、ステップと、
前記複数のCCEを制御情報へと復号するステップとを備える、方法。
【請求項８】
前記複数のCCEをデマッピングするステップが、
REGの前記対応する一意なセットから前記CCEをデマッピングするステップを備え、前記マッピング関数が、CCEインデックスを前記1つまたは複数のOFDMシンボルの各々に含まれる前記複数のCCEの数で割ったものの床関数を備える、請求項7に記載の方法。
【請求項９】
前記マッピング関数が、
【数５】
2021501509.tif 000053
であり、ここで
【数６】
2021501509.tif 000054
であり、各OFDMシンボルに含まれるべき前記複数のCCEの前記数を示し、
【数７】
2021501509.tif 000055
が各OFDMシンボルに含まれるべき前記複数のREGの数を示し、
【数８】
2021501509.tif 000056
が各CCEに含まれるべきREGの数を示し、
n∈{0,1,...,k・CCEOS-1}であり、kが前記ダウンリンク制御チャネルRBセットがその上で構成されるOFDMシンボルの数であり、
i∈{0,1,...,NsCCE,m-1}であり、NsCCE,mが前記ダウンリンク制御チャネルRBセットの中の前記複数のCCEの数を示す、請求項8に記載の方法。
【請求項１０】
前記ダウンリンク制御チャネルRBセットを受信するステップが、
セル固有基準信号(CRS)ベースの物理ダウンリンク制御チャネル(PDCCH)上で符号化された制御情報を受信するステップを備える、請求項7に記載の方法。
【請求項１１】
ワイヤレス通信のための装置であって、
1つまたは複数の直交周波数分割多重化(OFDM)シンボルを用いて構成されるダウンリンク制御チャネルリソースブロック(RB)セット上での送信のための制御情報を特定するための手段と、
前記制御情報を複数の制御チャネル要素(CCE)へと符号化するための手段と、
前記ダウンリンク制御チャネルRBセットがその上で構成されるOFDMシンボルの数とは無関係に、前記ダウンリンク制御チャネルRBセットの中のリソース要素グループ(REG)の対応する一意なセットが一意であるように、マッピング関数を使用してREGの前記セットに前記複数のCCEの各CCEをマッピングするための手段であって、前記1つまたは複数のOFDMシンボルの各々が複数のREGを用いて構成される、手段と、
前記ダウンリンク制御チャネルRBセットを使用して前記符号化された制御情報を送信するための手段とを備える、装置。
【請求項１２】
前記複数のCCEの各CCEをマッピングするための前記手段が、
REGの各対応するセットが前記1つまたは複数のOFDMシンボルのうちの単一のOFDMシンボル内に完全に含まれるように、前記複数のCCEの各CCEをマッピングするための手段を備える、請求項11に記載の装置。
【請求項１３】
各OFDMシンボルの中の前記複数のREGが前記複数のCCEの数の倍数であるように、前記1つまたは複数のOFDMシンボルにわたって前記ダウンリンク制御チャネルRBセットを割り振るための手段をさらに備える、請求項11に記載の装置。
【請求項１４】
前記マッピング関数が、CCEインデックスを前記1つまたは複数のOFDMシンボルの各OFDMシンボルに含まれるべき前記複数のCCEの数で割ったものの床関数を備える、請求項11に記載の装置。
【請求項１５】
前記マッピング関数が、
【数９】
2021501509.tif 000057
であり、ここで
【数１０】
2021501509.tif 000058
であり、各OFDMシンボルに含まれるべき前記複数のCCEの前記数を示し、
【数１１】
2021501509.tif 000059
が各OFDMシンボルに含まれるべき前記複数のREGの数を示し、
【数１２】
2021501509.tif 000060
が各CCEに含まれるべきREGの数を示し、
n∈{0,1,...,k・CCEOS-1}であり、kが前記ダウンリンク制御チャネルRBセットがその上で構成されるOFDMシンボルの数であり、
i∈{0,1,...,NsCCE,m-1}であり、NsCCE,mが前記ダウンリンク制御チャネルRBセットの中の前記複数のCCEの数を示す、請求項14に記載の装置。
【請求項１６】
前記ダウンリンク制御チャネルRBセットを使用して前記符号化された制御情報を送信するための前記手段が、
セル固有基準信号(CRS)ベースの物理ダウンリンク制御チャネル(PDCCH)上で前記符号化された制御情報を送信するための手段を備える、請求項11に記載の装置。
【請求項１７】
ワイヤレス通信のための装置であって、
1つまたは複数の直交周波数分割多重化(OFDM)シンボルの中の複数の制御チャネル要素(CCE)を含むダウンリンク制御チャネルリソースブロック(RB)セットを受信するための手段と、
マッピング関数に少なくとも一部基づいて前記ダウンリンク制御チャネルRBセットから前記複数のCCEをデマッピングするための手段であって、各CCEが、前記ダウンリンク制御チャネルRBセットがその上で受信されるOFDMシンボルの数とは独立に、前記マッピング関数によって前記ダウンリンク制御チャネルRBセットの中のリソース要素グループ(REG)の対応する一意なセットに割り当てられ、前記1つまたは複数のOFDMシンボルの各々が複数のREGを用いて構成される、手段と、
前記複数のCCEを制御情報へと復号するための手段とを備える、装置。
【請求項１８】
前記複数のCCEをデマッピングするための前記手段が、
REGの前記対応する一意なセットから前記CCEをデマッピングするための手段を備え、前記マッピング関数が、CCEインデックスを前記1つまたは複数のOFDMシンボルの各々に含まれる前記複数のCCEの数で割ったものの床関数を備える、請求項17に記載の装置。
【請求項１９】
前記マッピング関数が、
【数１３】
2021501509.tif 000061
であり、ここで
【数１４】
2021501509.tif 000062
であり、各OFDMシンボルに含まれるべき前記複数のCCEの前記数を示し、
【数１５】
2021501509.tif 000063
が各OFDMシンボルに含まれるべき前記複数のREGの数を示し、
【数１６】
2021501509.tif 000064
が各CCEに含まれるべきREGの数を示し、
n∈{0,1,...,k・CCEOS-1}であり、kが前記ダウンリンク制御チャネルRBセットがその上で構成されるOFDMシンボルの数であり、
i∈{0,1,...,NsCCE,m-1}であり、NsCCE,mが前記ダウンリンク制御チャネルRBセットの中の前記複数のCCEの数を示す、請求項18に記載の装置。
【請求項２０】
前記ダウンリンク制御チャネルRBを受信するための前記手段が、
セル固有基準信号(CRS)ベースの物理ダウンリンク制御チャネル(PDCCH)上で符号化された制御情報を受信するための手段を備える、請求項17に記載の装置。
【発明の詳細な説明】
【技術分野】
【０００１】
相互参照
本特許出願は、各々が本出願の譲受人に譲渡される、2017年10月26日に出願された「Resource Element Group Mapping for a Downlink Control Channel」と題するHosseiniらによる米国仮特許出願第62/577,703号、および2018年10月23日に出願された「Resource Element Group Mapping for a Downlink Control Channel」と題するHosseiniらによる米国特許出願第16/168,794号の利益を主張する。
【０００２】
以下は、全般にワイヤレス通信に関し、より具体的には、ダウンリンク制御チャネルのためのリソース要素グループのマッピングに関する。
【背景技術】
【０００３】
ワイヤレス通信システムは、音声、ビデオ、パケットデータ、メッセージング、ブロードキャストなどの、様々なタイプの通信コンテンツを提供するために広く展開されている。これらのシステムは、利用可能なシステムリソース(たとえば、時間、周波数、および電力)を共有することによって複数のユーザとの通信をサポートすることが可能であることがある。そのような多元接続システムの例には、Long Term Evolution(LTE)システムまたはLTE-Advanced(LTE-A)システムなどの第4世代(4G)システム、およびNew Radio(NR)システムと呼ばれることがある第5世代(5G)システムがある。これらのシステムは、符号分割多元接続(CDMA)、時分割多元接続(TDMA)、周波数分割多元接続(FDMA)、直交周波数分割多元接続(OFDMA)、または離散フーリエ変換-拡散-OFDM(DFT-S-OFDM)などの技法を利用し得る。ワイヤレス多元接続通信システムは、場合によってはユーザ機器(UE)として知られていることがある複数の通信デバイスのための通信を各々が同時にサポートする、いくつかの基地局またはネットワークアクセスノードを含み得る。
【０００４】
ワイヤレス多元接続通信システムは、場合によってはユーザ機器(UE)として知られていることがある複数の通信デバイスのための通信を各々が同時にサポートする、いくつかの基地局またはネットワークアクセスノードを含み得る。一部のワイヤレス通信システム(たとえば、NRシステム)では、基地局は、短縮送信時間間隔(sTTI)を使用してキャリア上でUEと通信し得る。基地局は、sTTI内のダウンリンク送信またはアップリンク送信をスケジューリングするためにsTTI内でダウンリンク制御チャネルを送信し得る。いくつかの場合、基地局は、短縮制御チャネル要素(sCCE)を使用してダウンリンク制御情報(DCI)を送信し得る。各sCCEは、1つまたは複数の短縮リソース要素グループ(sREG)から構成され得る。sREGをsCCEにマッピングするための技法が望まれ得る。
【発明の概要】
【課題を解決するための手段】
【０００５】
一部のワイヤレス通信システムでは、基地局は、特定のアグリゲーションレベルを使用して短縮送信時間間隔(sTTI)の探索空間においてダウンリンク制御情報(DCI)をユーザ機器(UE)に送信し得る。アグリゲーションレベルは、探索空間においてDCIを送信するために使用される短縮制御チャネル要素(sCCE)の数に対応し得る。各sCCEは、1つまたは複数の短縮リソース要素グループ(sREG)から構成され得る。基地局は、sCCEを搬送するようにリソースブロック(RB)のセットを構成することができ、これは、短縮物理ダウンリンク制御チャネルリソースブロックセット(sPDCCH RBセット)と呼ばれ得る。各sREGはsPDCCH RBセット内の何らかの数のRBに対応することがあり、基地局はsPDCCH RBセットの中のsREGをsCCEにマッピングすることがある。
【０００６】
ワイヤレス通信の方法が説明される。方法は、1つまたは複数の直交周波数分割多重化(OFDM)シンボルを用いて構成されるダウンリンク制御チャネルRBセット上での送信のための制御情報を特定するステップと、制御チャネル要素(CCE)のセットへと制御情報を符号化するステップと、ダウンリンク制御チャネルRBセットがその上で構成されるOFDMシンボルの数とは無関係に、ダウンリンク制御チャネルRBセットの中のリソース要素グループ(REG)の対応する一意なセットが一意であるように、マッピング関数を使用してREGのそのセットにCCEのセットの各CCEをマッピングするステップであって、1つまたは複数のOFDMシンボルの各々がREGのセットを用いて構成される、ステップと、ダウンリンク制御チャネルRBセットを使用して符号化された制御情報を送信するステップとを含み得る。
【０００７】
ワイヤレス通信のための装置が説明される。装置は、プロセッサと、プロセッサと電子的に通信しているメモリと、メモリに記憶された命令とを含み得る。命令は、装置に、1つまたは複数のOFDMシンボルを用いて構成されるダウンリンク制御チャネルRBセット上での送信のための制御情報を特定させ、CCEのセットへと制御情報を符号化させ、ダウンリンク制御チャネルRBセットがその上で構成されるOFDMシンボルの数とは無関係に、ダウンリンク制御チャネルRBセットの中のREGの対応する一意なセットが一意であるように、マッピング関数を使用してREGのそのセットへCCEのセットの各CCEをマッピングさせるプロセッサであって、1つまたは複数のOFDMシンボルの各々がREGのセットを用いて構成され、ダウンリンク制御チャネルRBセットを使用して符号化された制御情報を送信させるように、プロセッサによって実行可能であり得る。
【０００８】
ワイヤレス通信のための別の装置が説明される。装置は、1つまたは複数のOFDMシンボルを用いて構成されるダウンリンク制御チャネルRBセット上での送信のための制御情報を特定するための手段と、CCEのセットへと制御情報を符号化するための手段と、ダウンリンク制御チャネルRBセットがその上で構成されるOFDMシンボルの数とは無関係に、ダウンリンク制御チャネルRBセットの中のREGの対応する一意なセットが一意であるように、マッピング関数を使用してREGのそのセットにCCEのセットの各CCEをマッピングするための手段であって、1つまたは複数のOFDMシンボルの各々がREGのセットを用いて構成される、手段と、ダウンリンク制御チャネルRBセットを使用して符号化された制御情報を送信するための手段とを含み得る。
【０００９】
ワイヤレス通信のためのコードを記憶する非一時的コンピュータ可読媒体が説明される。コードは、1つまたは複数のOFDMシンボルを用いて構成されるダウンリンク制御チャネルRBセット上での送信のための制御情報を特定し、CCEのセットへと制御情報を符号化し、ダウンリンク制御チャネルRBセットがその上で構成されるOFDMシンボルの数とは無関係に、ダウンリンク制御チャネルRBセットの中のREGの対応する一意なセットが一意であるように、マッピング関数を使用してREGのそのセットにCCEのセットの各CCEをマッピングし、1つまたは複数のOFDMシンボルの各々がREGのセットを用いて構成され、ダウンリンク制御チャネルRBセットを使用して符号化された制御情報を送信するように、プロセッサによって実行可能である命令を含み得る。
【００１０】
本明細書で説明される方法、装置、および非一時的コンピュータ可読媒体のいくつかの例では、CCEのセットの各CCEをマッピングすることは、REGの各対応するセットが1つまたは複数のOFDMシンボルの単一のOFDMシンボル内に完全に含まれ得るように、CCEのセットの各CCEをマッピングするための、動作、特徴、手段、または命令を含み得る。
【００１１】
本明細書で説明される方法、装置、および非一時的コンピュータ可読媒体のいくつかの例はさらに、各OFDMシンボルの中のREGのセットがCCEのセットの数の倍数であり得るように、1つまたは複数のOFDMシンボルにわたってダウンリンク制御チャネルRBセットを割り振るための、動作、特徴、手段、または命令を含み得る。
【００１２】
本明細書で説明される方法、装置、および非一時的コンピュータ可読媒体のいくつかの例では、マッピング関数は、CCEインデックスを1つまたは複数のOFDMシンボルの各OFDMシンボルに含まれるべきCCEのセットの数で割ったものの床関数を含み得る。
【００１３】
本明細書で説明される方法、装置、および非一時的コンピュータ可読媒体のいくつかの例では、マッピング関数は、
【数１】
2021501509.tif 000003
であり、ここで
【数２】
2021501509.tif 000004
であり、各OFDMシンボルに含まれるべきCCEのセットの数を示し、
【数３】
2021501509.tif 000005
は各OFDMシンボルに含まれるべきREGのセットの数を示し、
【数４】
2021501509.tif 000006
は各CCEに含まれるべきREGの数を示し、
n∈{0,1,...,k・CCEOS-1}であり、kはダウンリンク制御チャネルRBセットがその上で構成されるOFDMシンボルの数であり、
i∈{0,1,...,NsCCE,m-1}であり、NsCCE,mはダウンリンク制御チャネルRBセットの中のCCEのセットの数を示す。
【００１４】
本明細書で説明される方法、装置、および非一時的コンピュータ可読媒体のいくつかの例では、ダウンリンク制御チャネルRBセットを使用して符号化された制御情報を送信することは、セル固有基準信号(CRS)ベースのPDCCH上で符号化された制御情報を送信するための、動作、特徴、手段、または命令を含み得る。
【００１５】
ワイヤレス通信の方法が説明される。方法は、1つまたは複数の直交周波数分割多重化(OFDM)シンボルにおいて制御チャネル要素(CCE)のセットを含むダウンリンク制御チャネルリソースブロック(RB)セットを受信するステップと、マッピング関数に基づいてダウンリンク制御チャネルRBセットからCCEのセットをデマッピングするステップであって、各CCEが、ダウンリンク制御チャネルRBセットがその上で受信されるOFDMシンボルの数とは独立に、マッピング関数によってダウンリンク制御チャネルRBセットの中のリソース要素グループ(REG)の対応する一意なセットに割り当てられ、1つまたは複数のOFDMシンボルの各々が複数のREGを用いて構成される、ステップと、CCEのセットを制御情報へと復号するステップとを含み得る。いくつかの例では、マッピング関数は所定のマッピング関数である。
【００１６】
ワイヤレス通信のための装置が説明される。装置は、プロセッサと、プロセッサと電子的に通信しているメモリと、メモリに記憶された命令とを含み得る。命令は、装置に、1つまたは複数の直交周波数分割多重化(OFDM)シンボルにおいて制御チャネル要素(CCE)のセットを含むダウンリンク制御チャネルリソースブロック(RB)セットを受信させ、マッピング関数に基づいてダウンリンク制御チャネルRBセットからCCEのセットをデマッピングさせるプロセッサであって、各CCEが、ダウンリンク制御チャネルRBセットがその上で受信されるOFDMシンボルの数とは独立に、マッピング関数によってダウンリンク制御チャネルRBセットの中のリソース要素グループ(REG)の対応する一意なセットに割り当てられ、1つまたは複数のOFDMシンボルの各々が複数のREGを用いて構成され、CCEのセットを制御情報へと復号させるように、プロセッサによって実行可能であり得る。
【００１７】
ワイヤレス通信のための別の装置が説明される。装置は、1つまたは複数の直交周波数分割多重化(OFDM)シンボルにおいて制御チャネル要素(CCE)のセットを含むダウンリンク制御チャネルリソースブロック(RB)セットを受信するための手段と、マッピング関数に基づいてダウンリンク制御チャネルRBセットからCCEのセットをデマッピングするための手段であって、各CCEが、ダウンリンク制御チャネルRBセットがその上で受信されるOFDMシンボルの数とは独立に、マッピング関数によってダウンリンク制御チャネルRBセットの中のリソース要素グループ(REG)の対応する一意なセットに割り当てられ、1つまたは複数のOFDMシンボルの各々が複数のREGを用いて構成される、手段と、CCEのセットを制御情報へと復号する手段とを含み得る。
【００１８】
ワイヤレス通信のためのコードを記憶する非一時的コンピュータ可読媒体が説明される。コードは、1つまたは複数の直交周波数分割多重化(OFDM)シンボルにおいて制御チャネル要素(CCE)のセットを含むダウンリンク制御チャネルリソースブロック(RB)セットを受信し、マッピング関数に基づいてダウンリンク制御チャネルRBセットからCCEのセットをデマッピングし、各CCEが、ダウンリンク制御チャネルRBセットがその上で受信されるOFDMシンボルの数とは独立に、マッピング関数によってダウンリンク制御チャネルRBセットの中のリソース要素グループ(REG)の対応する一意なセットに割り当てられ、1つまたは複数のOFDMシンボルの各々が複数のREGを用いて構成され、CCEのセットを制御情報へと復号するように、プロセッサによって実行可能である命令を含み得る。
【００１９】
本明細書で説明される方法、装置、および非一時的コンピュータ可読媒体のいくつかの例では、CCEのセットをデマッピングすることは、REGの対応する一意なセットへのCCEをデマッピングするための、動作、特徴、手段、または命令を含むことがあり、マッピング関数は、CCEインデックスを1つまたは複数のOFDMシンボルの各々に含まれるCCEのセットの数で割ったものの床関数を含む。
【００２０】
本明細書で説明される方法、装置、および非一時的コンピュータ可読媒体のいくつかの例では、マッピング関数は、
【数５】
2021501509.tif 000007
であり、ここで
【数６】
2021501509.tif 000008
であり、各OFDMシンボルに含まれるべきCCEのセットの数を示し、
【数７】
2021501509.tif 000009
は各OFDMシンボルに含まれるべきREGのセットの数を示し、
【数８】
2021501509.tif 000010
は各CCEに含まれるべきREGの数を示し、
n∈{0,1,...,k・CCEOS-1}であり、kはダウンリンク制御チャネルRBセットがその上で構成されるOFDMシンボルの数であり、
i∈{0,1,...,NsCCE,m-1}であり、NsCCE,mはダウンリンク制御チャネルRBセットの中のCCEのセットの数を示す。
【００２１】
本明細書で説明される方法、装置、および非一時的コンピュータ可読媒体のいくつかの例では、ダウンリンク制御チャネルRBセットを使用して符号化された制御情報を受信することは、セル固有基準信号(CRS)ベースのPDCCH上で符号化された制御情報を受信するための、動作、特徴、手段、または命令を含み得る。
【図面の簡単な説明】
【００２２】
【図１】本開示の態様による、ダウンリンク制御チャネルのためのリソース要素グループのマッピングをサポートするワイヤレス通信のためのシステムの例を示す図である。
【図２】本開示の態様による、ダウンリンク制御チャネルのためのリソース要素グループのマッピングをサポートするダウンリンク制御チャネルのためのリソース要素グループのマッピングの例を示す図である。
【図３】本開示の態様による、ダウンリンク制御チャネルのためのリソース要素グループのマッピングをサポートするダウンリンク制御チャネルのためのリソース要素グループのマッピングの例を示す図である。
【図４】本開示の態様による、ダウンリンク制御チャネルのためのリソース要素グループのマッピングをサポートするデバイスのブロック図である。
【図５】本開示の態様による、ダウンリンク制御チャネルのためのリソース要素グループのマッピングをサポートするデバイスのブロック図である。
【図６】本開示の態様による、ダウンリンク制御チャネルのためのリソース要素グループのマッピングをサポートするデバイスのブロック図である。
【図７】本開示の態様による、ダウンリンク制御チャネルのためのリソース要素グループのマッピングをサポートする基地局を含むシステムのブロック図である。
【図８】本開示の態様による、ダウンリンク制御チャネルのためのリソース要素グループのマッピングをサポートするデバイスのブロック図である。
【図９】本開示の態様による、ダウンリンク制御チャネルのためのリソース要素グループのマッピングをサポートするデバイスのブロック図である。
【図１０】本開示の態様による、ダウンリンク制御チャネルのためのリソース要素グループのマッピングをサポートするデバイスのブロック図である。
【図１１】本開示の態様による、ダウンリンク制御チャネルのためのリソース要素グループのマッピングをサポートするユーザ機器を含むシステムのブロック図である。
【図１２】本開示の態様による、ダウンリンク制御チャネルのためのリソース要素グループのマッピングおよび復号の方法を示す図である。
【図１３】本開示の態様による、ダウンリンク制御チャネルのためのリソース要素グループのマッピングおよび復号の方法を示す図である。
【発明を実施するための形態】
【００２３】
一部のワイヤレス通信システムでは、基地局は、特定のアグリゲーションレベルを使用して短縮送信時間間隔(sTTI)の探索空間においてダウンリンク制御情報(DCI)をユーザ機器(UE)に送信し得る。アグリゲーションレベルは、UEの探索空間においてDCIを送信するために使用される短縮制御チャネル要素(sCCE)の数に対応し得る。各sCCEは、1つまたは複数の短縮リソース要素グループ(sREG)からなり得る。基地局は、sCCEを搬送するようにリソースブロック(RB)のセットを構成することができ、これは、短縮物理ダウンリンク制御チャネルリソースブロックセット(sPDCCH RBセット)と呼ばれ得る。各sREGはsPDCCH RBセット内の何らかの数のRBに対応することがあり、基地局はsPDCCH RBセットの中のsREGをsCCEにマッピングすることがある。
【００２４】
いくつかの場合、sPDCCH RBセットは、2つ以上の直交周波数分割多重化(OFDM)シンボルにわたることがあり、たとえば、sPDCCH RBセットは第1のシンボルならびに第2のシンボルにおいていくつかののサブキャリアを備えることがあり、これは分散型のsPDCCH RBセットと呼ばれることがある。分散型のsPDCCH RBセットの場合でも、各sCCEが所与のUEの探索空間内のsREGの一意なセットにマッピングされる(たとえば、2つ以上のsCCEに割り振られる単一のsREGがない)ことを保証するために、マッピング関数が使用され得る。さらに、所与のsCCEに対応する各sREGは、分散型のsPDCCH RBセットの単一のシンボル内にあることが保証されることがあり、これはレイテンシの利点をもたらすことがある。さらに、sPDCCH RBセットは、シンボル当たりのRBの数がsCCE当たりのsREGの数の整数倍であるように構成されることがあり、これはリソース効率の利点をもたらすことがある。
【００２５】
本開示の態様は、最初にワイヤレス通信システムの文脈で説明される。ダウンリンク制御チャネルのためのリソース要素グループのマッピングの例が次いで説明される。本開示の態様は、ダウンリンク制御チャネルのためのリソース要素グループのマッピングに関する装置図、システム図、およびフローチャートによってさらに示され、それらを参照して説明される。
【００２６】
図1は、本開示の様々な態様による、ワイヤレス通信システム100の例を示す。ワイヤレス通信システム100は、基地局105と、UE115と、コアネットワーク130とを含む。いくつかの例では、ワイヤレス通信システム100は、Long Term Evolution(LTE)ネットワーク、LTE-Advanced(LTE-A)ネットワーク、またはNew Radio(NR)ネットワークであり得る。いくつかの場合、ワイヤレス通信システム100は、拡張ブロードバンド通信、超高信頼性(たとえば、ミッションクリティカル)通信、低レイテンシ通信、または低コストで低複雑度のデバイスとの通信をサポートし得る。
【００２７】
基地局105は、1つまたは複数の基地局アンテナを介してUE115とワイヤレスに通信し得る。本明細書で説明される基地局105は、基地トランシーバ局、無線基地局、アクセスポイント、無線トランシーバ、NodeB、eNodeB(eNB)、(そのいずれもgNBと呼ばれることがある)次世代NodeBもしくはgiga-nodeB、Home NodeB、Home eNodeB、または何らかの他の好適な用語を含むことがあり、あるいは、そのように当業者によって呼ばれることがある。ワイヤレス通信システム100は、異なるタイプの基地局105(たとえば、マクロセル基地局またはスモールセル基地局)を含み得る。本明細書で説明されるUE115は、マクロeNB、スモールセルeNB、gNB、リレー基地局などを含む、様々なタイプの基地局105およびネットワーク機器と通信することが可能であり得る。
【００２８】
各基地局105は、様々なUE115との通信がサポートされる特定の地理的カバレッジエリア110と関連付けられ得る。各基地局105は、通信リンク125を介してそれぞれの地理的カバレッジエリア110のための通信カバレッジを提供することができ、基地局105とUE115との間の通信リンク125は、1つまたは複数のキャリアを利用することができる。ワイヤレス通信システム100に示された通信リンク125は、UE115から基地局105へのアップリンク送信、または基地局105からUE115へのダウンリンク送信を含み得る。ダウンリンク送信は、順方向リンク送信と呼ばれることもあり、アップリンク送信は、逆方向リンク送信と呼ばれることもある。
【００２９】
基地局105のための地理的カバレッジエリア110は、地理的カバレッジエリア110の一部分のみを構成するセクタへと分割されることがあり、各セクタはセルと関連付けられることがある。たとえば、各基地局105は、マクロセル、スモールセル、ホットスポット、もしくは他のタイプのセル、またはそれらの様々な組合せのための通信カバレッジを提供し得る。いくつかの例では、基地局105は可動であり、したがって、移動している地理的カバレッジエリア110のための通信カバレッジを提供し得る。いくつかの例では、異なる技術と関連付けられる異なる地理的カバレッジエリア110は、重複することがあり、異なる技術と関連付けられる重複する地理的カバレッジエリア110は、同じ基地局105によって、または異なる基地局105によってサポートされることがある。ワイヤレス通信システム100は、たとえば、異なるタイプの基地局105が様々な地理的カバレッジエリア110のためのカバレッジを提供する異種LTE/LTE-AまたはNRネットワークを含み得る。
【００３０】
「セル」という用語は、(たとえば、キャリア上での)基地局105との通信のために使用される論理通信エンティティを指し、同じまたは異なるキャリアを介して動作する近隣のセルを区別するための識別子(たとえば、物理セル識別子(PCID)、仮想セル識別子(VCID))と関連付けられ得る。いくつかの例では、キャリアは、複数のセルをサポートすることができ、異なるセルは、異なるタイプのデバイスのためのアクセスを提供し得る異なるプロトコルタイプ(たとえば、マシンタイプ通信(MTC)、狭帯域Internet-of-Things(NB-IoT)、拡張モバイルブロードバンド(eMBB)、またはその他)に従って構成され得る。いくつかの場合、「セル」という用語は、その上で論理エンティティが動作する地理的カバレッジエリア110の一部分(たとえば、セクタ)を指し得る。
【００３１】
UE115は、ワイヤレス通信システム100全体にわたって分散していることがあり、各UE115は固定式または移動式であることがある。UE115は、モバイルデバイス、ワイヤレスデバイス、リモートデバイス、ハンドヘルドデバイス、もしくは加入者デバイス、または何らかの他の好適な用語で呼ばれることもあり、ここで、「デバイス」は、ユニット、局、端末、またはクライアントと呼ばれることもある。UE115はまた、携帯電話、携帯情報端末(PDA)、タブレットコンピュータ、ラップトップコンピュータ、またはパーソナルコンピュータなどの、パーソナル電子デバイスであり得る。いくつかの例では、UE115はまた、器具、車両、メーターなど、様々な物品において実装され得る、ワイヤレスローカルループ(WLL)局、Internet of Things(IoT)デバイス、Internet of Everything(IoE)デバイス、またはMTCデバイスなどを指し得る。
【００３２】
基地局105は、コアネットワーク130および互いと通信し得る。たとえば、基地局105は、バックホールリンク132を通じて(たとえば、S1または他のインターフェースを介して)コアネットワーク130とインターフェースし得る。基地局105は、バックホールリンク134上で(たとえば、X2または他のインターフェースを介して)、直接(たとえば、基地局105間で直接)または間接的に(たとえば、コアネットワーク130を介して)のいずれかで互いと通信し得る。
【００３３】
コアネットワーク130は、ユーザ認証、アクセス許可、トラッキング、インターネットプロトコル(IP)接続性、および他のアクセス機能、ルーティング機能、またはモビリティ機能を提供し得る。コアネットワーク130は、evolved packet core(EPC)であることがあり、EPCは、少なくとも1つのモビリティ管理エンティティ(MME)と、少なくとも1つのサービングゲートウェイ(S-GW)と、少なくとも1つのパケットデータネットワーク(PDN)ゲートウェイ(P-GW)とを含むことがある。MMEは、EPCと関連付けられる基地局105によってサービスされるUE115のためのモビリティ、認証、およびベアラ管理など、非アクセス層(たとえば、制御プレーン)機能を管理し得る。ユーザIPパケットは、それ自体がP-GWに接続され得るS-GWを通じて転送され得る。P-GWは、IPアドレス割振りならびに他の機能を提供し得る。P-GWは、ネットワーク事業者のIPサービスに接続され得る。事業者のIPサービスは、インターネット、イントラネット、IPマルチメディアサブシステム(IMS)、またはパケット交換(PS)ストリーミングサービスへのアクセスを含み得る。
【００３４】
基地局105などのネットワークデバイスのうちの少なくともいくつかは、アクセスネットワークエンティティなどのサブコンポーネントを含むことがあり、アクセスネットワークエンティティは、アクセスノードコントローラ(ANC)の例であることがある。各アクセスネットワークエンティティは、無線ヘッド、スマート無線ヘッド、または送信/受信ポイント(TRP)と呼ばれ得る、いくつかの他のアクセスネットワーク送信エンティティを通じてUE115と通信し得る。いくつかの構成では、各アクセスネットワークエンティティまたは基地局105の様々な機能は、様々なネットワークデバイス(たとえば、ラジオヘッドおよびアクセスネットワークコントローラ)にわたって分散されることがあり、または単一のネットワークデバイス(たとえば、基地局105)に統合されることがある。
【００３５】
UE115と基地局105との間の通信リンク125は、時間リソースおよび周波数リソースなどの物理リソースであり得るか、またはそれらの編成を表し得る。時間および周波数の基本単位は、REと呼ばれることがある。REは、1つのシンボル期間および1つのサブキャリア(たとえば、15kHz周波数範囲)からなり得る。一部のワイヤレス通信システム(たとえば、LTEシステム)では、リソースブロックは、周波数領域に12個の連続サブキャリアを含み、各直交周波数分割多重化(OFDM)シンボルの中のノーマル巡回プレフィックスについて、時間領域(1スロット)に7個の連続するOFDMシンボルを、すなわち、84個のREを含み得る。他のワイヤレス通信システム(たとえば、低レイテンシシステム)では、リソースブロックは、周波数領域に12個の連続するサブキャリアおよび時間領域に1つのシンボルを、すなわち、12個のREを含み得る。各REによって搬送されるビットの数は、変調方式(各シンボル期間中に選択され得るシンボルの構成)に依存し得る。したがって、UEが受信するリソースブロックが多いほど、かつ変調方式が高いほど、データレートは高くなり得る。
【００３６】
ワイヤレス通信システム100では、送信時間間隔(TTI)は、基地局105がアップリンク送信またはダウンリンク送信についてUE115をスケジューリングし得る時間の最小単位として定義され得る。一例として、基地局105は、UE115とのダウンリンク通信に1つまたは複数のTTIを割り振り得る。UE115は、次いで、基地局105からダウンリンク信号を受信するために1つまたは複数のTTIを監視し得る。いくつかのワイヤレス通信システム(たとえば、LTE)では、サブフレームは、スケジューリングまたはTTIの基本単位であり得る。低レイテンシ動作などの他の場合には、時間長が短縮された異なるTTI(たとえば、sTTI)が使用され得る。ワイヤレス通信システム100は、様々なTTI時間長を利用し得る。
【００３７】
いくつかの場合、sTTIは、わずか1シンボルを含めて、サブフレーム(たとえば、7シンボルより少ない)より少ないシンボル(たとえば、OFDMシンボル)を含み得る。sTTIは、sTTI内のデータチャネル(たとえば、物理ダウンリンク共有チャネル(PDSCH))上でのダウンリンク通信またはアップリンク通信をスケジューリングするために使用される制御チャネル(たとえば、sPDCCH)を含み得る。言い換えれば、sTTIは自己完結型であり得る。sPDCCHは、DCIを搬送するために、各々が何らかの数のsREGを備え得るsCCEを利用し得る。いくつかの場合、各sCCEは4個のsREGからなることがあり、各sREGは、たとえば1つのOFDMシンボル内の12個のサブキャリアからなり得る1つのRBからなり得る。
【００３８】
sPDCCHを送信するために使用されるsCCEの数はアグリゲーションレベルと呼ばれることがあり、sPDCCHについてアグリゲーションレベルにおいて受信デバイス(たとえば、UE115)によって監視されるsCCEは、sPDCCH候補(またはアグリゲーションレベル候補)と呼ばれることがある。いくつかの場合、基地局105はセル固有基準信号(CRS)をUE115に送信することができ、UE115はこれらのCRSを使用して、基地局105からsPDCCHにおいて受信されるDCIを復号するためのチャネル推定を実行し得る。そのような場合、sPDCCHはCRSベースのsPDCCHと呼ばれ得る。
【００３９】
(たとえば、制御チャネルとして使用される)制御シグナリングのために使用されるRBおよびシンボルの数は、より高次のレイヤのシグナリングによって構成され得る。いくつかの場合、基地局105は、sPDCCH RBセットと呼ばれ得る、sCCEのグループのためのRBのセットを構成し得る。sPDCCH RBセット内のsREGにsCCEをマッピングするための従来の解決法は、sPDCCH RBセットが単一のシンボルだけにわたる場合だけを考慮することがあり、たとえば、sPDCCH RBセット内の各RBが同じシンボル内にある場合だけを考慮することがある。単一のシンボルだけにわたるsPDCCH RBセットは、局在するsPDCCH RBセットと呼ばれることがある。
【００４０】
局在するsPDCCH RBセットにおいて、sPDCCH RBセット内のsREGは、周波数の昇順または降順でインデクシングされ得るので、たとえば、セットの中の最高周波数のsREGはインデックスi=0を有することがあり、セットの中の次に高い周波数のsREGはインデックスi=1を有することがあり、以下同様であり、または、セットの中の最低周波数のsREGがインデックスi=0を有することがあり、セットの中の次に低い周波数のsREGがインデックスi=1を有することがあり、以下同様である。
【００４１】
局在するsPDCCH RBセットでは、以下のマッピング関数が、インデックスnを有するsCCEに対応するsREGインデックスを提供し得る。
【数９】
2021501509.tif 000011
ここで、
・  nはsCCEインデックスであり、ただしn∈{0,1,...,NsCCE,m-1}であり、
・  NsCCE,mはRBセットの中のsCCEの数であり、
・  iは単一のsCCE内のsREGインデックスであり、ただし
【数１０】
2021501509.tif 000012
であり、
・  
【数１１】
2021501509.tif 000013
はsCCE当たりのsREGの数であり、
・  
【数１２】
2021501509.tif 000014
はインデックスmを有するsPDCCH RBセットの中のシンボル当たりのsREGの数である。
【００４２】
しかしながら、式(1)は、sPDCCH RBセットが2つ以上のシンボルにわたるとき、たとえばsPDCCH RBセットが分散型のsPDCCH RBセットであるとき、sPDCCH RBセット内のsREGをsCCEに適切にマッピングしないことがある。たとえば、シンボル当たり10個のsREGを伴う2つのシンボルを含み、4つのsCCE(すなわち、4に等しいNsCCE,m)を搬送するように構成される分散型のsPDCCH RBセットを考える。
【００４３】
そのようなsPDCCH RBセットにおいて、
・  n∈{0,1, . . .,3}
・  i∈{0,1, . . .,3}
・  
【数１３】
2021501509.tif 000015
・  
【数１４】
2021501509.tif 000016
【００４４】
マッピング関数(1)を使用すると、インデックスmを有するsPDCCH RBセットに対して、
・  sCCE0は、インデックス0、2、4、および6を有するsREGからなり、
・  sCCE1は、インデックス1、3、5、および7を有するsREGからなり、
・  sCCE2は、インデックス0、2、4、および6を有するsREGからなり、
・  sCCE3は、インデックス11、13、15、および17を有するsREGからなる。
したがって、マッピング関数(1)は、分散型のsPDCCH RBセットを伴うsREGの同じセットをsCCE0とsCCE2の両方にマッピングする。すなわち、sCCE0およびsCCE2は各々、sREGの一意なセットにマッピングされる。異なるsCCEに対応する異なるDCIメッセージのために重複するリソースを使用することは、sCCEの数を実質的に4から3に減らすので望ましくない。
【００４５】
図2は、本開示の様々な態様による、リソース要素グループのマッピング200の例を示す。いくつかの例では、リソース要素グループのマッピング200は、基地局105などのワイヤレス通信システム100の実装される態様であり得る。
【００４６】
マッピング200はsPDCCH RBセット205を含む。送信ノード(たとえば、基地局105)は、第1のシンボル210-aおよび第2のシンボル210-bという2つのシンボルを含む(たとえば、それらにわたる)分散型のsPDCCH RBセットとしてsPDCCH RBセット205を構成し得る。第1のシンボル210-aおよび第2のシンボル210-bは各々、OFDMシンボルであり得る。第1のシンボル210-aおよび第2のシンボル210-bは各々、10個のsREGを、したがって10個の対応するRBも備えることがあり、それは、各sREGが1つのRBからなり得るからである。
【００４７】
sPDCCH RBセット205などの分散型のsPDCCH RBセットでは、sREGは、周波数第1、時間第2の順序で、sPDCCH RBセット内で0から
【数１５】
2021501509.tif 000017
までインデクシングされることがあり、
【数１６】
2021501509.tif 000018
はインデックスmを有するsPDCCH RBセットに含まれるシンボルの数であり、
【数１７】
2021501509.tif 000019
はインデックスmを有するsPDCCH RBセットのためのRBの数である。したがって、sPDCCH RBセット205において、
【数１８】
2021501509.tif 000020
が2であり、
【数１９】
2021501509.tif 000021
が20であるので、sPDCCH RBセット205を伴うsREGは0から19までインデクシングされることがあり、第1のシンボル210-aはインデックス0から9を有するsREGを含み、第2のシンボル210-bはインデックス10から19を有するsREGを含む。さらに、sPDCCHセット内でのsREGの周波数第1、時間第2のマッピングは、マッピング200において示されるように、第1のシンボルについてはより低いRBからより高いRBへ、第2のシンボルについてはより高いRBからより低いRBへ実行され得、以下同様である。
【００４８】
ワイヤレス通信システム100の中の基地局105などの、ワイヤレス通信システムの中の送信ノードは、UE115または他の基地局105などの受信ノードにDCIを送信するために、sPDCCH RBセット205などのsPDCCH RBセットを構成し得る。マッピング200の例では、DCIは、4つのsCCE、すなわちsCCE0 215-a、sCCE1 215-b、sCCE2 215-c、およびsCCE3 215-dを備える。
【００４９】
いくつかの場合、送信ノード(たとえば、基地局105)は、以下のマッピング関数を使用して、sREGの一意なセットを各sCCEに割り当て得る。
【数２０】
2021501509.tif 000022
上式は、
【数２１】
2021501509.tif 000023
と簡略化することができ、ここで、
・  
【数２２】
2021501509.tif 000024
はsCCE当たりのsREGの数であり、
・  
【数２３】
2021501509.tif 000025
【００５０】
はインデックスmを有するsPDCCH RBセットの中のシンボル当たりのsREGの数である。
・  
【数２４】
2021501509.tif 000026
・  nはsCCEインデックスであり、ただしn∈{0,1,...,k・CCEos-1}であり、
・  kはRBセットのための構成されたシンボルの数であり、
・  iは単一のsCCE内のsREGインデックスであり、ただし
【数２５】
2021501509.tif 000027
である。
【００５１】
sPDCCH RBセット205の例では、
・  
【数２６】
2021501509.tif 000028
・  
【数２７】
2021501509.tif 000029
・  CCEos=2
・  n∈{0,1, . . .,3}
・  i∈{0,1, . . .,3}
・  k=2
【００５２】
マッピング関数(2)を使用すると、例示的なsPDCCH RBセット205に対して、
・  sCCE0 215-aは、インデックス0、2、4、および6を有するsREGからなり、
・  sCCE1 215-bは、インデックス1、3、5、および7を有するsREGからなり、
・  sCCE2 215-cは、インデックス10、12、14、および16を有するsREGからなり、
・  sCCE3 215-dは、インデックス11、13、15、および17を有するsREGからなる。
したがって、マッピング関数(2)は、sPDCCH RBセット205などの分散型のsPDCCH RBセットに対しても、sREGの一意なセットを各sCCEにマッピングする(たとえば、sREGの各セットが異なるインデックスを含む)。一意にマッピングされるsCCEを伴う分散型のsPDCCH RBセットの使用を可能にすることは、有利なことに、送信ノードにおけるスケジューラ(たとえば、基地局105におけるスケジューラ)がsPDCCHを介したDCI送信を目的にリソースを割り振り得る際の柔軟性を高めることができ、このことは次いで、リソース効率(たとえば、時間リソース、周波数リソース、コードリソース、空間リソース、スペクトルリソース、または他のリソースに関する効率)を高めることができる。
【００５３】
また、マッピング200において示されるように、マッピング関数(2)を使用すると、所与のsCCEにマッピングされる各sREGが、単一のシンボル内に配置されるようになる。たとえば、sCCE0 215-aにマッピングされる各sREGは第1のシンボル210-a内にあり、sCCE1 215-bにマッピングされる各sREGは第1のシンボル210-a内にあり、sCCE2 215-cにマッピングされる各sREGは第2のシンボル210-b内にあり、sCCE3 215-dにマッピングされる各sREGは第2のシンボル210-b内にある。所与のsCCEにマッピングされる各sREGが単一のシンボル内にあるようにsREGをsCCEにマッピングすることは、有利なことにレイテンシを減らすことができ、それは、受信デバイス(たとえば、UE115)が、後続のシンボルを待機することなく所与のsCCEにより搬送されるDCIを復号することが可能であり得るからである。たとえば、UE115は、第2のシンボル210-bを受信する前に、sCCE 215-aおよびsCCE 215-bを復号することが可能であり得る。
【００５４】
さらに、マッピング200においても示されるように、マッピング関数(2)を使用すると、所与のsCCEであって、その所与のsCCEのインデックスより1大きいか1小さいかのいずれかであるインデックスを有するsCCEに対して同じsREGインデックス(たとえば、同じiの値)を有するsREGに隣接している所与のsCCEに、各sREGがマッピングされるようになる。たとえば、sCCE0 215-aにマッピングされる第1の(i=1)sREGはsREG0であり、sCCE1 215-bにマッピングされる第1の(i=1)sREGはsREG1である。別の例として、sCCE2 215-cにマッピングされる第3の(i=3)sREGはsREG14であり、sCCE4 215-dにマッピングされる第3の(i=3)sREGはsREG15である。したがって、たとえば、1より大きいアグリゲーションレベルが使用されるとき、復号候補を形成する異なるsCCEの第iのsREGは連続的であり得る。これは、有利なことに、チャネル品質を推定するための受信デバイス(たとえば、UE115)の能力を高めることができ、それは、短縮プリコーディングリソースグループ(sPRG)のサイズが2であることがあり、そのようなマッピングが、1より大きいアグリゲーションレベルが使用されるときにチャネル品質を推定するために全体のsPRGを受信デバイスが常に使用できることを保証することがあり、たとえば、マッピング関数(2)の使用により、単一の利用されるRBのみを有するsPRGを受信デバイスに割り当てることが避けられることがあるからである。
【００５５】
図3は、本開示の様々な態様による、追加のリソース要素グループのマッピング300の例を示す。いくつかの例では、リソース要素グループのマッピング300は、基地局105などのワイヤレス通信システム100の実装される態様であり得る。
【００５６】
マッピング200において示されるように、第1のシンボル210-aおよび第2のシンボル210-bの各々の中の2つのsREGが使用されなかった。具体的には、第1のシンボル210-aの中のsREG8および9と、第2のシンボル210-bの中のsREG18および19が使用されなかった。いくつかの場合、ワイヤレス通信システム100の中の基地局105などの、ワイヤレス通信システムの中の送信ノードは、マッピング関数(2)を使用してsPDCCH RBセットを構成し、シンボル当たりのsREGの数がsCCE当たりのsREGの数の整数倍であるようにsPDCCH RBも構成することができる。すなわち、送信ノードは、
【数２８】
2021501509.tif 000030
であるようにsPDCCH RBを構成することができ、qは正の整数である。
【００５７】
マッピング300はsPDCCH RBセット305を含む。送信ノード(たとえば、基地局105)は、第1のシンボル210-cおよび第2のシンボル210-dという2つのシンボルを含む(たとえば、それらにわたる)分散型のsPDCCH RBセットとしてsPDCCH RBセット305を構成し得る。第1のシンボル210-cおよび第2のシンボル210-dは各々、OFDMシンボルであり得る。sCCE当たりのsREGの数は4であり得るので、送信ノードは、8つのsREGを各々備えるように第1のシンボル210-aおよび210-bを構成し、qを2に等しく設定することができる。
【００５８】
マッピング300の例では、DCIは、4つのsCCE、すなわちsCCE0 215-e、sCCE1 215-f、sCCE2 215-g、およびsCCE3 215-hを備える。送信ノード(たとえば、基地局105)は、マッピング関数(2)を使用して、sREGの一意なセットを各sCCEに割り当て得る。sPECCH RBセット305の例では、
・  
【数２９】
2021501509.tif 000031
・  
【数３０】
2021501509.tif 000032
・  CCEos=2
・  n∈{0,1, . . .,3}
・  i∈{0,1, . . .,3}
・  k=2
【００５９】
マッピング関数(2)を使用すると、たとえばsPDCCH RBセット305に対して、
・  sCCE0 215-eは、インデックス0、2、4、および6を有するsREGからなり、
・  sCCE1 215-fは、インデックス1、3、5、および7を有するsREGからなり、
・  sCCE2 215-gは、インデックス8、10、12、および14を有するsREGからなり、
・  sCCE3 215-hは、インデックス9、11、13、および15を有するsREGからなる。
【００６０】
マッピング300において示されるように、シンボル当たりのsREGの数がsCCE当たりのsREGの数の整数倍であるようにsPDCCH RBセットを構成することは、sPDCCH RBセット内の各RBの使用を可能にすることができ、これは有利なことに、リソース効率(たとえば、時間リソース、周波数リソース、コードリソース、空間リソース、スペクトルリソース、または他のリソースに関する効率)を高めることができる。
【００６１】
図4は、本開示の態様による、ダウンリンク制御チャネルのためのリソース要素グループのマッピングをサポートするワイヤレスデバイス405のブロック図400を示す。ワイヤレスデバイス405は、本明細書で説明されるような基地局105の態様の例であり得る。ワイヤレスデバイス405は、受信機410、基地局通信マネージャ415、および送信機420を含み得る。ワイヤレスデバイス405はプロセッサも含み得る。これらの構成要素の各々は、(たとえば、1つまたは複数のバスを介して)互いに通信していることがある。
【００６２】
受信機410は、パケット、ユーザデータ、または様々な情報チャネル(たとえば、ダウンリンク制御チャネルのためのリソース要素グループのマッピングに関する制御チャネル、データチャネル、および情報など)と関連付けられる制御情報などの情報を受信することができる。情報はデバイスの他の構成要素に受け渡され得る。受信機410は、図7を参照して説明されるトランシーバ735の態様の例であり得る。受信機410は、単一のアンテナまたはアンテナのセットを利用し得る。
【００６３】
基地局通信マネージャ415は、図7を参照して説明される基地局通信マネージャ715の態様の例であり得る。基地局通信マネージャ415および/またはその様々な副構成要素のうちの少なくともいくつかは、ハードウェア、プロセッサによって実行されるソフトウェア、ファームウェア、またはそれらの任意の組合せで実装され得る。プロセッサによって実行されるソフトウェアで実装される場合、基地局通信マネージャ415、および/またはその様々な副構成要素のうちの少なくともいくつかの機能は、汎用プロセッサ、デジタル信号プロセッサ(DSP)、特定用途向け集積回路(ASIC)、フィールドプログラマブルゲートアレイ(FPGA)もしくは他のプログラマブル論理デバイス、個別ゲートもしくはトランジスタ論理、個別ハードウェア構成要素、または本開示で説明する機能を実行するように設計されたそれらの任意の組合せによって実行され得る。基地局通信マネージャ415、および/またはその様々な副構成要素のうちの少なくともいくつかは、機能の部分が1つまたは複数の物理デバイスによって異なる物理的位置において実装されるように分散されることを含めて、様々な場所に物理的に配置され得る。いくつかの例では、基地局通信マネージャ415、および/またはその様々な副構成要素のうちの少なくともいくつかは、本開示の様々な態様による別個のおよび異なる構成要素であり得る。他の例では、基地局通信マネージャ415および/またはその様々な副構成要素のうちの少なくともいくつかは、限定はされないが、I/O構成要素、トランシーバ、ネットワークサーバ、別のコンピューティングデバイス、本開示で説明された1つまたは複数の他の構成要素、または本開示の様々な態様によるそれらの組合せを含む、1つまたは複数の他のハードウェア構成要素と組み合わされ得る。
【００６４】
基地局通信マネージャ415は、1つまたは複数のOFDMシンボルを用いて構成されるダウンリンク制御チャネルRBセット上での送信のための制御情報を特定し、CCEのセットへと制御情報を符号化し、ダウンリンク制御チャネルRBセットがその上で構成されるOFDMシンボルの数とは無関係に、ダウンリンク制御チャネルRBセットの中のREGの対応する一意なセットが一意であるように、マッピング関数を使用してREGのそのセットにCCEのセットの各CCEをマッピングし、1つまたは複数のOFDMシンボルの各々がREGのセットを用いて構成され、ダウンリンク制御チャネルRBセットを使用して符号化された制御情報を送信し得る。いくつかの例では、マッピング関数は、基地局およびUEに知られている所定のマッピング関数であり得る。
【００６５】
送信機420は、デバイスの他の構成要素によって生成された信号を送信することができる。いくつかの例では、送信機420は、トランシーバモジュールにおいて受信機410と一緒に置かれ得る。たとえば、送信機420は、図7を参照して説明されるトランシーバ735の態様の例であり得る。送信機420は、単一のアンテナまたはアンテナのセットを利用し得る。
【００６６】
図5は、本開示の態様による、ダウンリンク制御チャネルのためのリソース要素グループのマッピングをサポートするワイヤレスデバイス505のブロック図500を示す。ワイヤレスデバイス505は、図4を参照して説明されたようなワイヤレスデバイス405または基地局105の態様の例であり得る。ワイヤレスデバイス505は、受信機510、基地局通信マネージャ515、および送信機520を含み得る。ワイヤレスデバイス505はプロセッサも含み得る。これらの構成要素の各々は、(たとえば、1つまたは複数のバスを介して)互いに通信していることがある。
【００６７】
受信機510は、パケット、ユーザデータ、または様々な情報チャネル(たとえば、ダウンリンク制御チャネルのためのリソース要素グループのマッピングに関する制御チャネル、データチャネル、および情報など)と関連付けられる制御情報などの情報を受信することができる。情報はデバイスの他の構成要素に受け渡され得る。受信機510は、図7を参照して説明されるトランシーバ735の態様の例であり得る。受信機510は、単一のアンテナまたはアンテナのセットを利用し得る。
【００６８】
基地局通信マネージャ515は、図7を参照して説明される基地局通信マネージャ715の態様の例であり得る。基地局通信マネージャ515はまた、リソースブロックセットマネージャ525、制御チャネル要素マネージャ530、リソース要素グループマネージャ535、およびダウンリンク制御チャネルマネージャ540を含み得る。
【００６９】
リソースブロックセットマネージャ525は、1つまたは複数のOFDMシンボルを用いて構成されるダウンリンク制御チャネルRBセット上での送信のための制御情報を特定し得る。
【００７０】
制御チャネル要素マネージャ530は、CCEのセットへと制御情報を符号化し得る。
【００７１】
リソース要素グループマネージャ535は各々、ダウンリンク制御チャネルRBセットがその上で構成されるOFDMシンボルの数とは無関係に、ダウンリンク制御チャネルRBセットの中のREGの対応する一意なセットが一意であるように、マッピング関数を使用してREGのそのセットにCCEのセットの各CCEをマッピングすることができ、1つまたは複数のOFDMシンボルの各々がREGのセットを用いて構成される。リソース要素グループマネージャ535は、各OFDMシンボルの中のREGのセットがCCEのある数のセットの倍数であるように、1つまたは複数のOFDMシンボルにわたってダウンリンク制御チャネルRBセットを割り振り得る。いくつかの場合、CCEのセットの各CCEをマッピングすることは、REGの各セットが1つまたは複数のOFDMシンボルのうちの単一のOFDMシンボル内に完全に含まれるように、CCEのセットの各CCEをマッピングすることを含む。いくつかの例では、マッピング関数は、基地局およびUEに知られている所定のマッピング関数であり得る。
【００７２】
いくつかの場合、マッピング関数は、CCEインデックスを各OFDMシンボルに含まれるべきCCEのセットの数で割ったものの床関数を含む。いくつかの場合、マッピング関数は
【数３１】
2021501509.tif 000033
であり、ここで
【数３２】
2021501509.tif 000034
であり、各OFDMシンボルに含まれるべきCCEのセットの数を示し、
【数３３】
2021501509.tif 000035
は各OFDMシンボルに含まれるべきREGのセットの数を示し、
【数３４】
2021501509.tif 000036
は各CCEに含まれるべきREGの数を示し、n∈{0,1,...,k・CCEOS-1}であり、kは、ダウンリンク制御チャネルRBセットがその上で構成されるOFDMシンボルの数であり、i∈{0,1,...,NsCCE,m-1}であり、NsCCE,mはダウンリンク制御チャネルRBセットの中のCCEのセットの数を示す。
【００７３】
ダウンリンク制御チャネルマネージャ540は、ダウンリンク制御チャネルRBセットを使用して符号化された制御情報を送信し得る。いくつかの場合、ダウンリンク制御チャネルRBセットを使用して符号化された制御情報を送信することは、CRSベースの物理ダウンリンク制御チャネル(PDCCH)上で符号化された制御情報を送信することを含む。
【００７４】
送信機520は、デバイスの他の構成要素によって生成された信号を送信することができる。いくつかの例では、送信機520は、トランシーバモジュールにおいて受信機510と一緒に置かれ得る。たとえば、送信機520は、図7を参照して説明されるトランシーバ735の態様の例であり得る。送信機520は、単一のアンテナまたはアンテナのセットを利用し得る。
【００７５】
図6は、本開示の態様による、ダウンリンク制御チャネルのためのリソース要素グループのマッピングをサポートする基地局通信マネージャ615のブロック図600を示す。基地局通信マネージャ615は、図4、図5、および図7を参照して説明される、基地局通信マネージャ415、基地局通信マネージャ515、または基地局通信マネージャ715の態様の例であり得る。基地局通信マネージャ615は、リソースブロックセットマネージャ620、制御チャネル要素マネージャ625、リソース要素グループマネージャ630、およびダウンリンク制御チャネルマネージャ635を含み得る。これらのモジュールの各々は、直接または間接的に、(たとえば、1つまたは複数のバスを介して)互いと通信し得る。
【００７６】
リソースブロックセットマネージャ620は、1つまたは複数のOFDMシンボルを用いて構成されるダウンリンク制御チャネルRBセット上での送信のための制御情報を特定し得る。
【００７７】
制御チャネル要素マネージャ625は、CCEのセットへと制御情報を符号化し得る。
【００７８】
リソース要素グループマネージャ630は各々、ダウンリンク制御チャネルRBセットがその上で構成されるOFDMシンボルの数とは無関係に、ダウンリンク制御チャネルRBセットの中のREGの対応する一意なセットが一意であるように、マッピング関数を使用してREGのそのセットにCCEのセットの各CCEをマッピングすることができ、1つまたは複数のOFDMシンボルの各々がREGのセットを用いて構成される。リソース要素グループマネージャ535は、各OFDMシンボルの中のREGのセットがCCEのある数のセットの倍数であるように、1つまたは複数のOFDMシンボルにわたってダウンリンク制御チャネルRBセットを割り振り得る。いくつかの場合、CCEのセットの各CCEをマッピングすることは、REGの各セットが1つまたは複数のOFDMシンボルのうちの単一のOFDMシンボル内に完全に含まれるように、CCEのセットの各CCEをマッピングすることを含む。いくつかの例では、マッピング関数は、基地局およびUEに知られている所定のマッピング関数であり得る。
【００７９】
いくつかの場合、マッピング関数は、CCEインデックスを各OFDMシンボルに含まれるべきCCEのセットの数で割ったものの床関数を含む。いくつかの場合、マッピング関数は
【数３５】
2021501509.tif 000037
であり、ここで
【数３６】
2021501509.tif 000038
であり、各OFDMシンボルに含まれるべきCCEのセットの数を示し、
【数３７】
2021501509.tif 000039
は各OFDMシンボルに含まれるべきREGのセットの数を示し、
【数３８】
2021501509.tif 000040
は各CCEに含まれるべきREGの数を示し、n∈{0,1,...,k・CCEOS-1}であり、kは、ダウンリンク制御チャネルRBセットがその上で構成されるOFDMシンボルの数であり、i∈{0,1,...,NsCCE,m-1}であり、NsCCE,mはダウンリンク制御チャネルRBセットの中のCCEのセットの数を示す。
【００８０】
ダウンリンク制御チャネルマネージャ635は、ダウンリンク制御チャネルRBセットを使用して符号化された制御情報を送信し得る。いくつかの場合、ダウンリンク制御チャネルRBセットを使用して符号化された制御情報を送信することは、CRSベースの物理ダウンリンク制御チャネル(PDCCH)上で符号化された制御情報を送信することを含む。
【００８１】
図7は、本開示の態様による、ダウンリンク制御チャネルのためのリソース要素グループのマッピングをサポートするデバイス705を含むシステム700の図を示す。デバイス705は、たとえば、図4および図5を参照して上で説明されたようなワイヤレスデバイス405、ワイヤレスデバイス505、または基地局105の構成要素の例であるか、またはそれを含み得る。デバイス705は、基地局通信マネージャ715と、プロセッサ720と、メモリ725と、ソフトウェア730と、トランシーバ735と、アンテナ740と、ネットワーク通信マネージャ745と、局間通信マネージャ750とを含む、通信を送信および受信するための構成要素を含む、双方向音声およびデータ通信のための構成要素を含み得る。これらの構成要素は、1つまたは複数のバス(たとえば、バス710)を介して電子的に通信していることがある。デバイス705は、1つまたは複数のユーザ機器115とワイヤレスに通信し得る。
【００８２】
プロセッサ720は、インテリジェントハードウェアデバイス(たとえば、汎用プロセッサ、DSP、中央処理装置(CPU)、マイクロコントローラ、ASIC、FPGA、プログラマブル論理デバイス、個別ゲートもしくはトランジスタ論理構成要素、個別ハードウェア構成要素、またはそれらの任意の組合せ)を含み得る。いくつかの場合、プロセッサ720は、メモリコントローラを使用して、メモリアレイを動作させるように構成され得る。他の場合、メモリコントローラは、プロセッサ720に統合され得る。プロセッサ720は、様々な機能(たとえば、ダウンリンク制御チャネルのためのリソース要素グループのマッピングをサポートする機能またはタスク)を実行するためにメモリに記憶されたコンピュータ可読命令を実行するように構成され得る。
【００８３】
メモリ725は、ランダムアクセスメモリ(RAM)と読取り専用メモリ(ROM)とを含み得る。メモリ725は、実行されると、プロセッサに、本明細書で説明される様々な機能を実行させる命令を含む、コンピュータ可読のコンピュータ実行可能ソフトウェア730を記憶し得る。いくつかの場合、メモリ725は、特に、周辺構成要素または周辺デバイスとの相互作用などの、基本的なハードウェア動作またはソフトウェア動作を制御し得る基本入出力システム(BIOS)を含み得る。
【００８４】
ソフトウェア730は、ダウンリンク制御チャネルのためのリソース要素グループのマッピングをサポートするためのコードを含む、本開示の態様を実装するためのコードを含み得る。ソフトウェア730は、システムメモリまたは他のメモリなどの、非一時的コンピュータ可読媒体に記憶され得る。いくつかの場合、ソフトウェア730は、プロセッサによって直接実行可能ではないことがあるが、(たとえば、コンパイルされ、実行されると)本明細書で説明される機能をコンピュータに実行させることができる。
【００８５】
トランシーバ735は、上で説明されたような1つまたは複数のアンテナ、有線リンク、またはワイヤレスリンクを介して双方向に通信し得る。たとえば、トランシーバ735は、ワイヤレストランシーバを表すことがあり、別のワイヤレストランシーバと双方向に通信し得る。トランシーバ735はまた、送信のためにパケットを変調し、変調されたパケットをアンテナに提供し、かつアンテナから受信されたパケットを復調するためのモデムを含み得る。
【００８６】
いくつかの場合、ワイヤレスデバイスは、単一のアンテナ740を含み得る。しかしながら、いくつかの場合、デバイスは、複数のワイヤレス送信を同時に送信または受信することが可能であり得る複数のアンテナ740を有し得る。
【００８７】
ネットワーク基地局通信マネージャ745は、(たとえば、1つまたは複数の有線バックホールリンクを介して)コアネットワークとの通信を管理し得る。たとえば、ネットワーク通信マネージャ745は、1つまたは複数のUE115などの、クライアントデバイスのためのデータ通信の転送を管理し得る。
【００８８】
局間通信マネージャ750は、他の基地局105との通信を管理することができ、他の基地局105と協働してUE115との通信を制御するためのコントローラまたはスケジューラを含み得る。たとえば、局間通信マネージャ750は、ビームフォーミングまたはジョイント送信などの様々な干渉緩和技法のために、UE115への送信のスケジューリングを協調させ得る。いくつかの例では、局間通信マネージャ750は、基地局105間の通信を行うために、Long Term Evolution(LTE)/LTE-Aワイヤレス通信ネットワーク技術内のX2インターフェースを提供し得る。
【００８９】
図8は、本開示の態様による、ダウンリンク制御チャネルのためのリソース要素グループのマッピングをサポートするワイヤレスデバイス805のブロック図800を示す。ワイヤレスデバイス805は、本明細書で説明されるようなUE115の態様の例であり得る。ワイヤレスデバイス805は、受信機810と、UE通信マネージャ815と、送信機820とを含み得る。ワイヤレスデバイス805はプロセッサも含み得る。これらの構成要素の各々は、(たとえば、1つまたは複数のバスを介して)互いと通信していることがある。
【００９０】
受信機810は、パケット、ユーザデータ、または様々な情報チャネル(たとえば、ダウンリンク制御チャネルのためのリソース要素グループのマッピングに関する制御チャネル、データチャネル、および情報など)と関連付けられる制御情報などの情報を受信することができる。情報はデバイスの他の構成要素に受け渡され得る。受信機810は、図11を参照して説明されるトランシーバ1120の態様の例であり得る。受信機810は、単一のアンテナまたはアンテナのセットを利用し得る。
【００９１】
UE通信マネージャ815は、図11を参照して説明されるUE通信マネージャ1110の態様の例であり得る。UE通信マネージャ815および/またはその様々な副構成要素のうちの少なくともいくつかは、ハードウェア、プロセッサによって実行されるソフトウェア、ファームウェア、またはそれらの任意の組合せで実装され得る。プロセッサによって実行されるソフトウェアで実装される場合、UE通信マネージャ815および/またはその様々な副構成要素のうちの少なくともいくつかの機能は、汎用プロセッサ、デジタル信号プロセッサ(DSP)、特定用途向け集積回路(ASIC)、フィールドプログラマブルゲートアレイ(FPGA)もしくは他のプログラマブル論理デバイス、個別ゲートもしくはトランジスタ論理、個別ハードウェア構成要素、または本開示において説明される機能を実行するように設計されたそれらの任意の組合せによって実行され得る。UE通信マネージャ815および/またはその様々な副構成要素のうちの少なくともいくつかは、機能の部分が1つまたは複数の物理デバイスによって異なる物理的位置において実装されるように分散されることを含めて、様々な位置に物理的に配置され得る。いくつかの例では、UE通信マネージャ815および/またはその様々な副構成要素のうちの少なくともいくつかは、本開示の様々な態様による別個のおよび異なる構成要素であり得る。他の例では、UE通信マネージャ815および/もしくはその様々な副構成要素のうちの少なくともいくつかは、限定はされないが、I/O構成要素、トランシーバ、ネットワークサーバ、別のコンピューティングデバイス、本開示で説明された1つまたは複数の他の構成要素、または、本開示の様々な態様によるそれらの組合せを含む、1つまたは複数の他のハードウェア構成要素と組み合わされ得る。
【００９２】
通信マネージャ815は、1つまたは複数の直交周波数分割多重化(OFDM)シンボルにおいて制御チャネル要素(CCE)のセットを含むダウンリンク制御チャネルリソースブロック(RB)セットを受信し、マッピング関数に基づいてダウンリンク制御チャネルRBセットからCCEのセットをデマッピングし、各CCEが、ダウンリンク制御チャネルRBセットがその上で受信されるOFDMシンボルの数とは独立に、マッピング関数によってダウンリンク制御チャネルRBセットの中のリソース要素グループ(REG)の対応する一意なセットに割り当てられ、1つまたは複数のOFDMシンボルの各々が複数のREGを用いて構成され、CCEのセットを制御情報へと復号し得る。いくつかの例では、マッピング関数は、基地局およびUEに知られている所定のマッピング関数であり得る。
【００９３】
送信機820は、デバイスの他の構成要素によって生成された信号を送信することができる。いくつかの例では、送信機820は、トランシーバモジュールにおいて受信機810と一緒に置かれ得る。たとえば、送信機820は、図11を参照して説明されるトランシーバ1120の態様の例であり得る。送信機820は、単一のアンテナまたはアンテナのセットを利用し得る。
【００９４】
図9は、本開示の態様による、ダウンリンク制御チャネルのためのリソース要素グループのマッピングをサポートするワイヤレスデバイス905のブロック図900を示す。ワイヤレスデバイス905は、図4を参照して説明されたようなワイヤレスデバイス405または基地局105の態様の例であり得る。ワイヤレスデバイス905は、受信機910、UE通信マネージャ915、および送信機920を含み得る。ワイヤレスデバイス905はプロセッサも含み得る。これらの構成要素の各々は、(たとえば、1つまたは複数のバスを介して)互いと通信していることがある。
【００９５】
受信機910は、パケット、ユーザデータ、または様々な情報チャネル(たとえば、ダウンリンク制御チャネルのためのリソース要素グループのマッピングに関する制御チャネル、データチャネル、および情報など)と関連付けられる制御情報などの情報を受信することができる。情報はデバイスの他の構成要素に受け渡され得る。受信機910は、図11を参照して説明されるトランシーバ1120の態様の例であり得る。受信機910は、単一のアンテナまたはアンテナのセットを利用し得る。
【００９６】
UE通信マネージャ915は、図11を参照して説明されるUE通信マネージャ1110の態様の例であり得る。UE通信マネージャ915はまた、制御チャネル要素マネージャ925、マッピングマネージャ935、および復号マネージャ930を含み得る。
【００９７】
制御チャネル要素マネージャ925は、1つまたは複数の直交周波数分割多重化(OFDM)シンボルの中の制御チャネル要素(CCE)のセットを含むダウンリンク制御チャネルリソースブロック(RB)セットを受信し得る。いくつかの場合、ダウンリンク制御チャネルRBセットを受信することは、セル固有基準信号(CRS)ベースのPDCCH上で符号化された制御情報を受信することを含む。
【００９８】
マッピングマネージャ935は、マッピング関数に基づいてダウンリンク制御チャネルRBセットからCCEのセットをデマッピングすることができ、各CCEが、ダウンリンク制御チャネルRBセットがその上で受信されるOFDMシンボルの数とは独立に、マッピング関数によってダウンリンク制御チャネルRBセットの中のリソース要素グループ(REG)の対応する一意なセットに割り当てられ、1つまたは複数のOFDMシンボルの各々が複数のREGを用いて構成される。いくつかの例では、マッピング関数は、基地局およびUEに知られている所定のマッピング関数であり得る。
【００９９】
復号マネージャ930はCCEを制御情報へと復号し得る。
【０１００】
いくつかの場合、CCEをデマッピングすることは、REGの対応する一意なセットからCCEをデマッピングすることを含み、マッピング関数は、CCEインデックスを1つまたは複数のOFDMシンボルの各々に含まれるCCEの数で割ったものの床関数を含む。
【０１０１】
いくつかの場合、マッピング関数は
【数３９】
2021501509.tif 000041
であり、ここで
【数４０】
2021501509.tif 000042
であり、各OFDMシンボルに含まれるべきCCEのセットの数を示し、
【数４１】
2021501509.tif 000043
は各OFDMシンボルに含まれるべきREGのセットの数を示し、
【数４２】
2021501509.tif 000044
は各CCEに含まれるべきREGの数を示し、n∈{0,1,...,k・CCEOS-1}であり、kは、ダウンリンク制御チャネルRBセットがその上で構成されるOFDMシンボルの数であり、i∈{0,1,...,NsCCE,m-1}であり、NsCCE,mはダウンリンク制御チャネルRBセットの中のCCEのセットの数を示す。
【０１０２】
送信機920は、デバイスの他の構成要素によって生成される信号を送信することができる。いくつかの例では、送信機920は、トランシーバモジュールにおいて受信機910と一緒に置かれ得る。たとえば、送信機920は、図11を参照して説明されるトランシーバ1120の態様の例であり得る。送信機920は、単一のアンテナまたはアンテナのセットを利用し得る。
【０１０３】
図10は、本開示の態様による、ダウンリンク制御チャネルのためのリソース要素グループのマッピングをサポートするUE通信マネージャ1015のブロック図1000を示す。UE通信マネージャ1015は、図8、図9、および図11を参照して説明される、UE通信マネージャ815、UE通信マネージャ915、またはUE通信マネージャ1110の態様の例であり得る。UE通信マネージャ1015は、制御チャネル要素マネージャ1025、マッピングマネージャ1035、および復号マネージャ1030を含み得る。これらのモジュールの各々は、直接または間接的に、(たとえば、1つまたは複数のバスを介して)互いと通信し得る。
【０１０４】
制御チャネル要素マネージャ1025は、1つまたは複数の直交周波数分割多重化(OFDM)シンボルの中の制御チャネル要素(CCE)のセットを含むダウンリンク制御チャネルリソースブロック(RB)セットを受信し得る。いくつかの場合、ダウンリンク制御チャネルRBセットを受信することは、セル固有基準信号(CRS)ベースのPDCCH上で符号化された制御情報を受信することを含む。
【０１０５】
マッピングマネージャ1035は、マッピング関数に基づいてダウンリンク制御チャネルRBセットからCCEのセットをデマッピングすることができ、各CCEが、ダウンリンク制御チャネルRBセットがその上で受信されるOFDMシンボルの数とは独立に、マッピング関数によってダウンリンク制御チャネルRBセットの中のリソース要素グループ(REG)の対応する一意なセットに割り当てられ、1つまたは複数のOFDMシンボルの各々が複数のREGを用いて構成される。いくつかの例では、マッピング関数は、基地局およびUEに知られている所定のマッピング関数であり得る。
【０１０６】
復号マネージャ1030はCCEを制御情報へと復号し得る。
【０１０７】
いくつかの場合、CCEをデマッピングすることは、REGの対応する一意なセットからCCEをデマッピングすることを含み、マッピング関数は、CCEインデックスを1つまたは複数のOFDMシンボルの各々に含まれるCCEの数で割ったものの床関数を含む。
【０１０８】
いくつかの場合、マッピング関数は
【数４３】
2021501509.tif 000045
であり、ここで
【数４４】
2021501509.tif 000046
であり、各OFDMシンボルに含まれるべきCCEのセットの数を示し、
【数４５】
2021501509.tif 000047
は各OFDMシンボルに含まれるべきREGのセットの数を示し、
【数４６】
2021501509.tif 000048
は各CCEに含まれるべきREGの数を示し、n∈{0,1,...,k・CCEOS-1}であり、kは、ダウンリンク制御チャネルRBセットがその上で構成されるOFDMシンボルの数であり、i∈{0,1,...,NsCCE,m-1}であり、NsCCE,mはダウンリンク制御チャネルRBセットの中のCCEのセットの数を示す。
【０１０９】
図11は、本開示の態様による、ダウンリンク制御チャネルのためのリソース要素グループのマッピングをサポートするデバイス1105を含むシステム1100の図を示す。デバイス1105は、たとえば、図8および図9を参照して上で説明されたワイヤレスデバイス805、ワイヤレスデバイス905、もしくはUE115の構成要素の例であるか、またはそれを含み得る。デバイス1105は、UE通信マネージャ1110、プロセッサ1140、メモリ1130、ソフトウェア1135、トランシーバ1120、およびアンテナ1125を含む、通信を送信および受信するための構成要素を含む、双方向音声およびデータ通信のための構成要素を含み得る。これらの構成要素は、1つまたは複数のバス(たとえば、バス1145)を介して電子的に通信していることがある。デバイス1105は、1つまたは複数の基地局105とワイヤレスに通信し得る。
【０１１０】
プロセッサ1140は、インテリジェントハードウェアデバイス(たとえば、汎用プロセッサ、DSP、中央処理装置(CPU)、マイクロコントローラ、ASIC、FPGA、プログラマブル論理デバイス、個別ゲートもしくはトランジスタ論理構成要素、個別ハードウェア構成要素、またはそれらの任意の組合せ)を含み得る。いくつかの場合、プロセッサ1140は、メモリコントローラを使用してメモリアレイを動作させるように構成され得る。他の場合には、メモリコントローラはプロセッサ1140にに統合され得る。プロセッサ1140は、様々な機能(たとえば、ダウンリンク制御チャネルのためのリソース要素グループのマッピングをサポートする機能またはタスク)を実行するためにメモリに記憶されたコンピュータ可読命令を実行するように構成され得る。
【０１１１】
メモリ1130は、ランダムアクセスメモリ(RAM)および読取り専用メモリ(ROM)を含み得る。メモリ1130は、実行されると、本明細書で説明される様々な機能をプロセッサに実行させる命令を含む、コンピュータ可読のコンピュータ実行可能ソフトウェア1135を記憶し得る。いくつかの場合、メモリ1130は、とりわけ、周辺構成要素またはデバイスとの相互作用などの、基本的なハードウェア動作またはソフトウェア動作を制御し得る基本入出力システム(BIOS)を含み得る。
【０１１２】
ソフトウェア1135は、ダウンリンク制御チャネルのためのリソース要素グループのマッピングをサポートするためのコードを含む、本開示の態様を実装するためのコードを含み得る。ソフトウェア1135は、システムメモリまたは他のメモリなどの非一時的コンピュータ可読媒体中に記憶され得る。いくつかの場合、ソフトウェア1135は、プロセッサによって直接実行可能ではないことがあるが、(たとえば、コンパイルされ、実行されると)本明細書で説明される機能をコンピュータに実行させることができる。
【０１１３】
トランシーバ1120は、上で説明されたような1つもしくは複数のアンテナ、有線リンク、またはワイヤレスリンクを介して双方向に通信し得る。たとえば、トランシーバ1120は、ワイヤレストランシーバを表すことがあり、別のワイヤレストランシーバと双方向に通信し得る。トランシーバ1120はまた、送信のためにパケットを変調し、変調されたパケットをアンテナに提供し、かつアンテナから受信されたパケットを復調するためのモデムを含み得る。
【０１１４】
いくつかの場合、ワイヤレスデバイスは、単一のアンテナ1125を含み得る。しかしながら、いくつかの場合、デバイスは、複数のワイヤレス送信を同時に送信または受信することが可能であり得る2つ以上のアンテナ1125を有し得る。
【０１１５】
図12は、本開示の様々な態様による、分散型のsPDCCH RBセットなどのために、ダウンリンク制御チャネルのためのリソース要素グループのマッピングのための方法1200を示すフローチャートを示す。方法1200の動作は、本明細書で説明されたように、基地局105またはその構成要素によって実施され得る。たとえば、方法1200の動作は、図4〜図7を参照して説明されたような基地局通信マネージャによって実行され得る。いくつかの例では、基地局105は、以下で説明される機能を実行するようにデバイスの機能要素を制御するためのコードのセットを実行し得る。加えて、または代替として、基地局105は、専用ハードウェアを使用して、以下で説明される機能の態様を実行し得る。
【０１１６】
1205において、基地局105は、1つまたは複数のOFDMシンボルを用いて構成されるダウンリンク制御チャネルRBセット上での送信のための制御情報を特定し得る。1205の動作は、本明細書で説明される方法に従って実行され得る。いくつかの例では、1205の動作の態様は、図4〜図7を参照して説明されたような、リソースブロックセットマネージャによって実行され得る。
【０１１７】
1210において、基地局105は、制御情報をCCEのセットへと符号化し得る。1210の動作は、本明細書で説明される方法に従って実行され得る。いくつかの例では、1210の動作の態様は、図4〜図7を参照して説明されたような、制御チャネル要素マネージャによって実行され得る。
【０１１８】
1215において、基地局105は各々、ダウンリンク制御チャネルRBセットがその上で構成されるOFDMシンボルの数とは無関係に、ダウンリンク制御チャネルRBセットの中のREGの対応する一意なセットが一意であるように、マッピング関数を使用してREGのそのセットにCCEのセットの各CCEをマッピングすることができ、1つまたは複数のOFDMシンボルの各々がREGのセットを用いて構成される。1215の動作は、本明細書で説明される方法に従って実行され得る。いくつかの例では、1215の動作の態様は、図4〜図7を参照して説明されたような、リソース要素グループマネージャによって実行され得る。
【０１１９】
1220において、基地局105は、ダウンリンク制御チャネルRBセットを使用して符号化された制御情報を送信し得る。1220の動作は、本明細書で説明される方法に従って実行され得る。いくつかの例では、1220の動作の態様は、図4〜図7を参照して説明されたような、ダウンリンク制御チャネルマネージャによって実行され得る。
【０１２０】
図13は、本開示の様々な態様による、分散型のsPDCCH RBセットなどのために、ダウンリンク制御チャネルのためのリソース要素グループのマッピングのための方法1300を示すフローチャートを示す。方法1300の動作は、本明細書で説明されたように、UE115またはその構成要素によって実施され得る。たとえば、方法1300の動作は、図8〜図11を参照して説明されたようなUE通信マネージャによって実行され得る。いくつかの例では、UE115は、以下で説明される機能を実行するようにデバイスの機能要素を制御するためのコードのセットを実行し得る。加えて、または代替として、UE115は、専用ハードウェアを使用して、以下で説明される機能の態様を実行し得る。
【０１２１】
1305において、UE115は、1つまたは複数の直交周波数分割多重化(OFDM)シンボルの中の制御チャネル要素(CCE)のセットを含むダウンリンク制御チャネルリソースブロック(RB)セットを受信し得る。いくつかの場合、ダウンリンク制御チャネルRBセットを受信することは、セル固有基準信号(CRS)ベースのPDCCH上で符号化された制御情報を受信することを含む。1305の動作は、本明細書で説明される方法に従って実行され得る。いくつかの例では、1305の動作の態様は、図8〜図11を参照して説明されたような、制御チャネル要素マネージャによって実行され得る。
【０１２２】
1310において、UE115は、マッピング関数に基づいて(たとえば、使用して)ダウンリンク制御チャネルRBセットからCCEのセットをデマッピングすることができ、各CCEが、ダウンリンク制御チャネルRBセットがその上で受信されるOFDMシンボルの数とは独立に、マッピング関数によってダウンリンク制御チャネルRBセットの中のリソース要素グループ(REG)の対応する一意なセットに割り当てられ、1つまたは複数のOFDMシンボルの各々が複数のREGを用いて構成される。1310の動作は、本明細書で説明される方法に従って実行され得る。いくつかの例では、1310の動作の態様は、図8〜図11を参照して説明されたような、マッピングマネージャによって実行され得る。
【０１２３】
1315において、UE115はCCEのセットを制御情報へと復号し得る。1315の動作は、本明細書で説明される方法に従って実行され得る。いくつかの例では、1315の動作の態様は、図8〜図11を参照して説明されたような、復号マネージャによって実行され得る。
【０１２４】
上で説明された方法は可能な実装形態について説明すること、動作およびステップは再構成され、または別様に修正され得ること、ならびに他の実装形態が可能であることに留意されたい。さらに、方法のうちの2つ以上からの態様が組み合わされ得る。
【０１２５】
本明細書で説明される技法は、符号分割多元接続(CDMA)、時分割多元接続(TDMA)、周波数分割多元接続(FDMA)、直交周波数分割多元接続(OFDMA)、シングルキャリア周波数分割多元接続(SC-FDMA)、および他のシステムなどの、様々なワイヤレス通信システムのために使用され得る。CDMAシステムは、CDMA2000、Universal Terrestrial Radio Access(UTRA)などの無線技術を実装し得る。CDMA2000は、IS-2000、IS-95およびIS-856規格をカバーする。IS-2000リリースは、通常、CDMA2000 1X、1Xなどと呼ばれることがある。IS-856(TIA-856)は、通常、CDMA2000 1xEV-DO、High Rate Packet Data(HRPD)などと呼ばれる。UTRAは、Wideband CDMA(WCDMA(登録商標))、およびCDMAの他の変形を含む。TDMAシステムは、Global System for Mobile Communications(GSM)などの無線技術を実装し得る。
【０１２６】
OFDMAシステムは、Ultra Mobile Broadband(UMB)、Evolved UTRA(E-UTRA)、米国電気電子技術者協会(IEEE) 802.11(Wi-Fi)、IEEE 802.16(WiMAX)、IEEE 802.20、Flash-OFDMなどの無線技術を実装し得る。UTRAおよびE-UTRAは、Universal Mobile Telecommunications System(UMTS)の一部である。LTEおよびLTE-Aは、E-UTRAを使用するUMTSのリリースである。UTRA、E-UTRA、UMTS、LTE、LTE-A、NR、およびGSMは、「第3世代パートナーシッププロジェクト」(3GPP)という名称の組織からの文書に記載されている。CDMA2000およびUMBは、「第3世代パートナーシッププロジェクト2」(3GPP2)と称する組織からの文書に記載されている。本明細書で説明された技法は、上述のシステムおよび無線技術、ならびに他のシステムおよび無線技術に使用され得る。LTEシステムまたはNRシステムの態様が例として説明されることがあり、説明の大部分においてLTE用語またはNR用語が使用されることがあるが、本明細書で説明された技法はLTE適用例またはNR適用例以外に適用可能である。
【０１２７】
マクロセルは、一般に、比較的大きい地理的エリア(たとえば、半径数キロメートル)をカバーし、ネットワークプロバイダのサービスに加入しているUE115による無制限アクセスを可能にし得る。スモールセルは、マクロセルと比較して低電力の基地局105と関連付けられることがあり、スモールセルは、マクロセルと同じまたはマクロセルとは異なる(たとえば、免許、免許不要など)周波数帯域において動作することがある。スモールセルは、様々な例によれば、ピコセル、フェムトセル、およびマイクロセルを含み得る。ピコセルは、たとえば、小さい地理的エリアをカバーすることができ、ネットワークプロバイダのサービスに加入しているUE115による無制限アクセスを可能にし得る。フェムトセルも、小さい地理的エリア(たとえば、自宅)をカバーすることがあり、フェムトセルとの関連付けを有するUE115(たとえば、限定加入者グループ(CSG)の中のUE115、自宅内のユーザのUE115など)による制限付きアクセスを提供し得る。マクロセルのためのeNBは、マクロeNBと呼ばれることがある。スモールセルのためのeNBは、スモールセルeNB、ピコeNB、フェムトeNB、またはホームeNBと呼ばれ得る。eNBは、1つまたは複数の(たとえば、2つ、3つ、4つなどの)セルをサポートすることができ、1つまたは複数のコンポーネントキャリアを使用する通信もサポートすることができる。
【０１２８】
本明細書で説明される1つまたは複数のワイヤレス通信システム100は、同期動作または非同期動作をサポートし得る。同期動作の場合、基地局105は、同様のフレームタイミングを有することがあり、異なる基地局105からの送信は時間的に概ね揃えられ得る。非同期動作の場合、基地局105は異なるフレームタイミングを有することがあり、異なる基地局105からの送信は時間的に揃えられないことがある。本明細書で説明される技法は、同期動作または非同期動作のいずれかのために使用され得る。
【０１２９】
本明細書で説明された情報および信号は、多種多様な技術および技法のいずれかを使用して表されてもよい。たとえば、上記の説明全体にわたって言及され得るデータ、命令、コマンド、情報、信号、ビット、シンボルおよびチップは、電圧、電流、電磁波、磁場もしくは磁性粒子、光場もしくは光学粒子、またはそれらの任意の組合せによって表され得る。
【０１３０】
本明細書の本開示に関して説明される様々な例示的なブロックおよびモジュールは、汎用プロセッサ、デジタル信号プロセッサ(DSP)、特定用途向け集積回路(ASIC)、フィールドプログラマブルゲートアレイ(FPGA)もしくは他のプログラマブル論理デバイス(PLD)、個別ゲートもしくはトランジスタ論理、個別ハードウェア構成要素、または本明細書で説明される機能を実行するように設計されたそれらの任意の組合せを用いて実装または実行され得る。汎用プロセッサはマイクロプロセッサであってもよいが、代替として、プロセッサは、任意の従来のプロセッサ、コントローラ、マイクロコントローラ、またはステートマシンであってもよい。プロセッサはまた、コンピューティングデバイスの組合せ(たとえば、DSPとマイクロプロセッサの組合せ、複数のマイクロプロセッサ、DSPコアと連携する1つもしくは複数のマイクロプロセッサ、または任意の他のそのような構成)として実装され得る。
【０１３１】
本明細書で説明された機能は、ハードウェア、プロセッサによって実行されるソフトウェア、ファームウェア、またはそれらの任意の組合せとして実装され得る。プロセッサによって実行されるソフトウェアにおいて実装される場合、機能は、1つもしくは複数の命令またはコードとして、コンピュータ可読媒体上に記憶され、あるいはコンピュータ可読媒体を介して送信され得る。他の例および実装形態が、本開示および添付の特許請求の範囲の範囲内に入る。たとえば、ソフトウェアの性質に起因して、上で説明された機能は、プロセッサ、ハードウェア、ファームウェア、ハードワイヤリング、またはこれらのうちのいずれかの組合せによって実行されるソフトウェアを使用して実装され得る。機能を実装する特徴はまた、機能の部分が異なる物理的位置において実装されるように分散されることを含めて、様々な場所に物理的に配置され得る。
【０１３２】
コンピュータ可読媒体は、ある場所から別の場所へのコンピュータプログラムの移送を容易にする任意の媒体を含む、非一時的コンピュータ記憶媒体と通信媒体の両方を含む。非一時的記憶媒体は、汎用コンピュータまたは専用コンピュータによってアクセスされ得る任意の利用可能な媒体であり得る。限定ではなく例として、非一時的コンピュータ可読媒体は、ランダムアクセスメモリ(RAM)、読取り専用メモリ(ROM)、電気的消去可能プログラマブル読取り専用メモリ(EEPROM)、フラッシュメモリ、コンパクトディスク(CD)ROMまたは他の光ディスクストレージ、磁気ディスクストレージまたは他の磁気ストレージデバイス、あるいは、命令またはデータ構造の形態の所望のプログラムコード手段を搬送または記憶するために使用され、汎用もしくは専用コンピュータまたは汎用もしくは専用プロセッサによってアクセスされ得る任意の他の非一時的媒体を備え得る。また、いかなる接続もコンピュータ可読媒体と適切に呼ばれる。たとえば、ソフトウェアが、同軸ケーブル、光ファイバケーブル、ツイストペア、デジタル加入者回線(DSL)、または赤外線、無線、およびマイクロ波などのワイヤレス技術を使用してウェブサイト、サーバ、または他のリモートソースから送信される場合、同軸ケーブル、光ファイバケーブル、ツイストペア、DSL、または赤外線、無線、およびマイクロ波などのワイヤレス技術は、媒体の定義に含まれる。本明細書で使用されるディスク(disk)およびディスク(disc)は、CD、レーザーディスク(登録商標)(disc)、光ディスク(disc)、デジタル多用途ディスク(disc)(DVD)、フロッピーディスク(disk)、およびBlu-ray(登録商標)ディスク(disc)を含み、ディスク(disk)は、通常、データを磁気的に再生し、ディスク(disc)は、データをレーザーで光学的に再生する。上記の組合せもコンピュータ可読媒体の範囲内に含まれる。
【０１３３】
特許請求の範囲内を含めて本明細書で使用される場合、項目のリスト(たとえば、「のうちの少なくとも1つ」または「のうちの1つまたは複数」などの句で終わる項目のリスト)において使用される「または」は、たとえば、A、B、またはCのうちの少なくとも1つのリストがAまたはBまたはCまたはABまたはACまたはBCまたはABC(すなわち、AおよびBおよびC)を意味するような包括的リストを示す。また、本明細書で使用される、「に基づいて」という句は、条件の閉集合を指すものと解釈されるべきではない。たとえば、「条件Aに基づいて」として説明された例示的なステップは、本開示の範囲から逸脱することなく、条件Aと条件Bの両方に基づき得る。言い換えれば、本明細書で使用される「に基づいて」という句は、「に少なくとも一部基づいて」という句と同様にして解釈されるものとする。
【０１３４】
添付の図では、同様の構成要素または特徴は同じ参照ラベルを有し得る。さらに、同じタイプの様々な構成要素は、参照ラベルの後、ダッシュと、それらの同様の構成要素を区別する第2のラベルとを続けることによって区別され得る。第1の参照ラベルのみが本明細書で使用される場合、説明は、第2の参照ラベル、または他の後続の参照ラベルにかかわらず、同じ第1の参照ラベルを有する同様の構成要素のうちのいずれにも適用可能である。
【０１３５】
添付の図面に関して本明細書に記載される説明は、例示的な構成について説明しており、実装され得るかまたは特許請求の範囲内に入るすべての例を表すとは限らない。本明細書で使用される「例示的」という用語は、「例、事例、または例示の働きをすること」を意味し、「好ましい」または「他の例よりも有利な」を意味しない。発明を実施するための形態は、説明される技法の理解をもたらすための具体的な詳細を含む。しかしながら、これらの技法は、これらの具体的な詳細なしに実践され得る。いくつかの事例では、説明される例の概念を不明瞭にすることを回避するために、よく知られている構造およびデバイスがブロック図の形式で示される。
【０１３６】
本明細書の説明は、当業者が本開示を作成または使用することを可能にするように与えられる。本開示への様々な変更は当業者には容易に明らかとなり、本明細書で定義された一般原理は、本開示の範囲から逸脱することなく他の変形形態に適用され得る。したがって、本開示は、本明細書で説明される例および設計に限定されず、本明細書で開示される原理および新規の特徴に合致する最も広い範囲を与えられるべきである。
【符号の説明】
【０１３７】
100  ワイヤレス通信システム
105  基地局
110  地理的カバレッジエリア
115  UE
125  通信リンク
130  コアネットワーク
132  バックホールリンク
134  バックホールリンク
200  リソース要素グループのマッピング
205  sPDCCH RBセット
210-a  第1のシンボル
210-b  第2のシンボル
210-c  第1のシンボル
210-d  第2のシンボル
215-a  sCCE0
215-b  sCCE1
215-c  sCCE2
215-d  sCCE3
215-e  sCCE0
215-f  sCCE1
215-g  sCCE2
215-h  sCCE3
300  追加のリソース要素グループのマッピング
305  sPDCCH RBセット
400  ブロック図
405  ワイヤレスデバイス
410  受信機
415  基地局通信マネージャ
420  送信機
500  ブロック図
505  ワイヤレスデバイス
510  受信機
515  基地局通信マネージャ
520  送信機
525  リソースブロックセットマネージャ
530  制御チャネル要素マネージャ
535  リソース要素グループマネージャ
540  ダウンリンク制御チャネルマネージャ
600  ブロック図
615  基地局通信マネージャ
620  リソースブロックセットマネージャ
625  制御チャネル要素マネージャ
630  リソース要素グループマネージャ
635  ダウンリンク制御チャネルマネージャ
700  システム
705  デバイス
710  バス
715  基地局通信マネージャ
720  プロセッサ
725  メモリ
730  ソフトウェア
735  トランシーバ
740  アンテナ
745  ネットワーク通信マネージャ
750  局間通信マネージャ
800  ブロック図
805  ワイヤレスデバイス
810  受信機
815  UE通信マネージャ
820  送信機
900  ブロック図
905  ワイヤレスデバイス
910  受信機
915  UE通信マネージャ
920  送信機
925  制御チャネル要素マネージャ
930  復号マネージャ
935  マッピングマネージャ
1000  ブロック図
1015  UE通信マネージャ
1025  制御チャネル要素マネージャ
1030  復号マネージャ
1035  マッピングマネージャ
1100  システム
1105  デバイス
1110  UE通信マネージャ
1120  トランシーバ
1125  アンテナ
1130  メモリ
1135  ソフトウェア、コンピュータ可読のコンピュータ実行可能ソフトウェア
1140  プロセッサ
1145  バス
1200  方法
1300  方法
【図１】
2021501509.tif 000065
【図２】
2021501509.tif 000066
【図３】
2021501509.tif 000067
【図４】
2021501509.tif 000068
【図５】
2021501509.tif 000069
【図６】
2021501509.tif 000070
【図７】
2021501509.tif 000071
【図８】
2021501509.tif 000072
【図９】
2021501509.tif 000073
【図１０】
2021501509.tif 000074
【図１１】
2021501509.tif 000075
【図１２】
2021501509.tif 000076
【図１３】
2021501509.tif 000077
【国際調査報告】
2021501509.tif 000078
2021501509.tif 000079